(57)【要約】【課題】回転筒と直進ガイドとの間のガタ付きを低減するレンズ鏡筒を提供する。【解決手段】本発明のレンズ鏡筒３は係合部８４を有し、第１方向に直進する第1筒状部材２０と、第1筒状部材に回転可能に第１筒状部材と直進する第２筒状部材４０とを有する。それら筒状部材に連動して、撮影状態及び非撮影状態とを取るレンズ群Ｌ１，Ｌ２と、第1筒状部材に形成された第１面８０Ａと、第２筒状部材に形成された第２面４３Ａと、それらの面間に介在する弾性部材９０と、弾性部材に形成され、それらの面の他方への非当接部９２と前記他方と摺動可能な当接部とを有し、非撮影状態から撮影状態に移行時に、前記他方の非当接部への対面位置から当接部への当接位置への移行により、係合部と被係合部との間を非付勢状態から付勢状態にし、レンズ群が撮影状態の場合は前記他方を当接部へ当接する位置に維持し、係合部と被係合部との間を付勢状態に保つ。【選択図】図７
2011022321.tif 000002
【特許請求の範囲】
【請求項１】
周面に設けられた係合部を有するとともに第１の方向に直進する第1筒状部材と、
前記係合部に対して、前記第１の方向の移動が規制され且つ周方向に回転可能な状態で係合する被係合部を有し、該係合部と該被係合部との係合により前記第1筒状部材に対して回転可能な状態で前記第1筒状部材とともに直進する第２筒状部材と、
前記第1筒状部材の直進及び前記第２筒状部材の回転に連動して、撮影用の配置となる撮影状態、及び前記撮影用の配置以外の配置となる非撮影状態とを取り得る複数のレンズ群と、
前記第1筒状部材に形成され、前記第１の方向に垂直な第１面と、
前記第２筒状部材に形成され、前記第１面と対面する第２面と、
前記第１面と前記第２面に挟まれる位置であって、前記第１面と前記第２面との一方に固定される弾性部材と、
前記弾性部材に形成され、前記第１面と前記第２面との他方に当接しない非当接部と、
前記弾性部材に形成され、前記第１面と前記第２面との他方に摺動可能に当接する当接部とを有し、
前記レンズ群が前記非撮影状態から前記撮影状態に移行する過程で、前記第１面と前記第２面との他方が前記非当接部に対面する位置から前記当接部へ当接する位置へ移行することにより、前記係合部と前記被係合部との間を非付勢状態から付勢状態に移行させ、前記レンズ群が前記撮影状態の場合は前記第１面と前記第２面との他方が前記当接部へ当接する位置に維持されることで前記係合部と前記被係合部との間を付勢状態に保つこと、を特徴とするレンズ鏡筒。
【請求項２】
請求項１に記載のレンズ鏡筒であって、前記弾性部材の前記非当接部に、前記第１面と前記第２面の前記一方に、該一方に固定される装着部が設けられていること、
を特徴とするレンズ鏡筒。
【請求項３】
請求項２に記載のレンズ鏡筒であって、前記弾性部材における前記非当接部から前記当接部への移行部分に、傾斜部が設けられていること、
を特徴とするレンズ鏡筒。
【請求項４】
請求項１〜３のいずれか１項に記載のレンズ鏡筒を備えるカメラ。
【発明の詳細な説明】
【技術分野】
【０００１】
本発明は、レンズ鏡筒及びカメラに関するものである。
【背景技術】
【０００２】
複数のレンズ群を備え、レンズ群の位置を移動させることにより焦点距離等を変更するズームレンズがある。そしてズームレンズにおいて、レンズ群の位置決め精度を向上させるため、レンズ群を移動させる回転筒とレンズ群をガイドする直進ガイドとの間のガタ付きを低減する構造が設けられているものがある。このような構造としては、レンズ群をガイドする直進ガイドにばねの一端を固定し、ばねの他端を保持部材に固定し、その保持部材を固定筒に設けられた直進ガイド溝に沿って一定の範囲内で移動させるものがある（例えば、特許文献１参照）。
【先行技術文献】
【特許文献】
【０００３】
【特許文献１】特開２００８−９０２６６号公報
【発明の概要】
【発明が解決しようとする課題】
【０００４】
しかし、上記従来技術の構造によると、保持部材を設けたり、固定筒に直進ガイド溝を設けたりする必要があり、機構が複雑になる。
【０００５】
本発明の目的は、レンズ群を移動させる回転筒とレンズ群をガイドする直進ガイドとの間のガタ付きを簡単な構造で低減することのできるレンズ鏡筒及びカメラを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、周面に設けられた係合部（８４）を有するとともに第１の方向に直進する第1筒状部材（２０）と、前記係合部（８４）に対して、前記第１の方向の移動が規制され且つ周方向に回転可能な状態で係合する被係合部（８４）を有し、該係合部（８４）と該被係合部（８４）との係合により前記第1筒状部材（２０）に対して回転可能な状態で前記第1筒状部材（２０）とともに直進する第２筒状部材（４０）と、前記第1筒状部材（２０）の直進及び前記第２筒状部材（４０）の回転に連動して、撮影用の配置となる撮影状態、及び前記撮影用の配置以外の配置となる非撮影状態とを取り得る複数のレンズ群（Ｌ１，Ｌ２）と、前記第1筒状部材（２０）に形成され、前記第１の方向に垂直な第１面（８０Ａ）と、前記第２筒状部材（４０）に形成され、前記第１面（８０Ａ）と対面する第２面（４３Ａ）と、前記第１面（８０Ａ）と前記第２面（４３Ａ）に挟まれる位置であって、前記第１面（８０Ａ）と前記第２面（４３Ａ）との一方に固定される弾性部材（９０）と、前記弾性部材（９０）に形成され、前記第１面（８０Ａ）と前記第２面（４３Ａ）との他方に当接しない非当接部（９２）と、前記弾性部材（９０）に形成され、前記第１面（８０Ａ）と前記第２面（４３Ａ）との他方に摺動可能に当接する当接部（９２）とを有し、前記レンズ群（Ｌ１，Ｌ２）が前記非撮影状態から前記撮影状態に移行する過程で、前記第１面（８０Ａ）と前記第２面（４３Ａ）との他方が前記非当接部（９２）に対面する位置から前記当接部（９２）へ当接する位置へ移行することにより、前記係合部（８４）と前記被係合部（８４）との間を非付勢状態から付勢状態に移行させ、前記レンズ群（Ｌ１，Ｌ２）が前記撮影状態の場合は前記第１面（８０Ａ）と前記第２面（４３Ａ）との他方が前記当接部（９２）へ当接する位置に維持されることで前記係合部（８４）と前記被係合部（８４）との間を付勢状態に保つこと、を特徴とするレンズ鏡筒（３）である。
請求項２に記載の発明は、請求項１に記載のレンズ鏡筒（３）であって、前記弾性部材（９０）の前記非当接部（９１）に、前記第１面（８０Ａ）と前記第２面（４３Ａ）の前記一方に、該一方に固定される装着部（９４ａ）が設けられていること、を特徴とするレンズ鏡筒（３）である。
請求項３に記載の発明は、請求項２に記載のレンズ鏡筒（３）であって、前記弾性部材（９０）における前記非当接部（９１）から前記当接部（９２）への移行部分に、傾斜部（９３）が設けられていること、を特徴とするレンズ鏡筒（３）である。
請求項４に記載の発明は、請求項１〜３のいずれか１項に記載のレンズ鏡筒（３）を備えるカメラ（１）である。
なお、符号を付して説明した構成は、適宜改良してもよく、また、少なくとも一部を他の構成物に代替してもよい。
【発明の効果】
【０００８】
本発明によれば、レンズ群を移動させる回転筒とレンズ群をガイドする直進ガイドとの間のガタ付きを簡単な構造で低減することのできるレンズ鏡筒及びカメラを提供することができる。
【図面の簡単な説明】
【０００９】
【図１】撮影待機状態におけるカメラの縦断面を概念的に示す図である。
【図２】図１におけるＡ−Ａ断面図である。
【図３】図１におけるＢ−Ｂ断面図である。
【図４】カメラの鏡筒のテレ端における一部断面斜視図である。
【図５】レンズ鏡筒の伸縮作動状態を説明する概念図であって、（ａ）は沈胴状態，（ｂ）は撮影待機状態，（ｃ）は最伸長状態をそれぞれ示す。
【図６】円形板バネを示し、（ａ）は正面図、（ｂ）は側面図である。
【図７】円形板バネが装着された直進ガイド筒とカム内筒とが組み立てられた状態を斜め背面側から見た斜視図である。
【図８】図７を背面側から見た図であって、連動ピンの移動と円形板バネとの関係を示す。
【図９】連動ピンの移動と円形板バネの形状との関係を説明する展開図である。
【発明を実施するための形態】
【００１０】
以下、図面を参照して、本発明の一実施形態について説明する。
図１は、撮影待機状態におけるカメラ１の縦断面を概念的に示す図である。図２は、図１におけるＡ−Ａ断面図である。図３は、図１におけるＢ−Ｂ断面図である。図４は、カメラ１のレンズ鏡筒３のテレ端における一部断面斜視図である。図５は、レンズ鏡筒３の伸縮作動状態を説明する概念図であって、（ａ）は沈胴状態，（ｂ）は撮影待機状態（ワイド端），（ｃ）は最伸長状態（テレ端）をそれぞれ示す。
【００１１】
なお、各図には、説明と理解を容易にするために、ＸＹＺ直交座標系を設けた。この座標系では、撮影者が光軸ＯＡを水平として横長の画像を撮影する場合のカメラ１の位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。また、以下の説明では、特に言及しない限り、撮影光学系における固定光学系の光軸ＯＡと平行な方向の移動を「直進」、光軸ＯＡ周りの移動を「回転」という。また、撮影光学系の光軸ＯＡと平行な方向を「前後」とし、被写体側を「前面側」、他端側を「背面側」とそれぞれいう。
【００１２】
カメラ１は、ボディ部２とレンズ鏡筒３とから構成されたデジタルカメラある。
レンズ鏡筒３は、不使用時にはボディ部２に没入し、使用時にはボディ部２から突出し、さらに焦点距離を変化（ズーミング）させることのできる、いわゆる沈胴式のズームレンズである。すなわち、レンズ鏡筒３は、電源が不投入の非撮影状態においては図５（ａ）に示すようにボディ部２の内部に収縮収容され（沈胴状態）、電源が投入されると図５（ｂ）に示すようにボディ部２の前面側に突出して撮影待機状態となる。本実施形態の構成では、撮影待機状態はズームにおけるワイド（広角）端に設定されている。レンズ鏡筒３は、このワイド端である撮影待機状態から、図５（ｃ）に示すテレ（望遠）端まで伸長する。
なお、本発明は、デジタルカメラに限定されるものではなく、たとえばフィルムを用いるスチルカメラにも適用可能である。
【００１３】
ボディ部２は、ボディ筐体２Ａの内部にセンサユニット４を備えている。
センサユニット４は、ＣＣＤ等の撮像素子４Ａを備えている。センサユニット４は、撮像素子４Ａの撮像面がレンズ鏡筒１０の光軸ＯＡと直交する姿勢で、ボディ筐体２Ａに固定されている。センサユニット４は、レンズ鏡筒３によって撮像素子４Ａの撮像面に結像された画像を電気信号に変換して出力する。
【００１４】
レンズ鏡筒３は、前述したように、焦点距離が可変なズームレンズである。レンズ鏡筒３は、当該カメラ１における結像光学系を構成する２組のレンズ群（第１レンズ群Ｌ１および第２レンズ群Ｌ２）を備えている。第１レンズ群Ｌ１および第２レンズ群Ｌ２は、被写体像をセンサユニット４における撮像素子４Ａの撮像面に結像させる。レンズ鏡筒３は、第１レンズ群Ｌ１および第２レンズ群Ｌ２の光軸ＯＡ方向における変位によって、焦点距離が変化する。
【００１５】
そして、カメラ１は、レンズ鏡筒３が備えるレンズ群（第１レンズ群Ｌ１および第２レンズ群Ｌ２）が被写体像光をセンサユニット４における撮像素子４Ａの受光面に結像させ、撮影者による図示しないレリーズボタンの押圧操作によって、センサユニット４０が電気信号に変換した被写体の画像情報を、図示しない記憶装置に記録（撮影）する。これら撮影を含むカメラ１０における全ての動作制御は、図示しない制御装置によって行われる。
【００１６】
つぎに、本発明の特徴部分を構成するレンズ鏡筒３について、前述した図１〜図５に加えて図６〜図９を参照して詳細に説明する。
図６は、円形板バネ９０を示し、（ａ）は正面図、（ｂ）は側面図である。図７は、円形板バネ９０が装着された直進ガイド筒２０とカム内筒４０とが組み立てられた状態を斜め背面側から見た斜視図である。図８は、図７の背面図に相当する、連動ピン４３の移動と円形板バネ９０との関係を説明する図である。図９は、連動ピン４３の移動と円形板バネ９０の形状との関係を説明する展開図である。
【００１７】
レンズ鏡筒３は、対物（被写体）側から順に、第１鏡筒１０、直進ガイド筒２０、カム外筒３０が、順次大径化する多段式に配設されている。カム外筒３０は、ボディ筐体２Ａと一体に構成された固定筒６０に設けられている。また、第１鏡筒１０の内部にはカム内筒４０が配設され、さらにカム内筒４０の内部には第２鏡筒５０が配設されている。すなわち、カム内筒４０は、外周側の第１鏡筒１０と、内周側の第２鏡筒５０との間に設けられている。
【００１８】
固定筒６０は、軸方向（光軸ＯＡ方向）に所定長さの円筒状を呈している。
固定筒６０の内周面には、カム外筒３０の移動を案内する直進溝６１と、カム外筒３０を移動駆動するヘリコイド溝６２とが、形成されている。直進溝６１は、光軸ＯＡと平行に（Ｚ軸方向に）延設されている。ヘリコイド溝６２は、光軸ＯＡに対して所定の角度を有して（周方向において光軸ＯＡ方向の位置が変位する螺旋状に）形成されている。直進溝６１とヘリコイド溝６２とは、たとえば、それぞれ周方向に２条ずつ形成されている。
【００１９】
直進溝６１には、後述するカム外筒３０における端面板７０のガイド突起７１が、摺動移動可能に嵌合している。
ヘリコイド溝６２には、カム外筒３０の外周に突設された駆動ピン３１が摺動移動可能に嵌合している。
【００２０】
カム外筒３０は、固定筒６０の内周に嵌合する円筒状であって、光軸ＯＡ方向に所定長さに形成されている。
カム外筒３０の外周には、ヘリコイド溝６２に摺動移動可能に嵌合する駆動ピン３１が突設されている。
カム外筒３０の内周面には、カム内筒４０を移動駆動するカム溝３２と、カム内筒４０の移動を案内する直進連動溝３３とが形成されている。
【００２１】
カム溝３２は、周方向において光軸ＯＡ方向の位置が所定の関係で変位するように形成されている。カム溝３２は、本実施形態では、周方向に３条形成されている。カム溝３２には、後述する直進ガイド筒２０におけるカムピン２１が嵌合している。
直進連動溝３３は、光軸ＯＡと平行に形成されている。直進連動溝３３は、周方向に所定間隔で２条形成されている。直進連動溝３３には、後述するカム内筒４０に植設された連動ピン４３が摺動移動可能に嵌合している。
カム外筒３０の背面側の端部には、端面板７０が設けられている。端面板７０は、カム外筒３０の端部に、光軸ＯＡ方向に相対移動不能且つ相対回転は可能として設けられている。
【００２２】
端面板７０は、その外周縁に、ガイド突起７１を備えている。ガイド突起７１は、固定筒６０の直進溝６１と対応して設けられており、固定筒６０の直進溝６１に摺動移動可能に嵌合している。
また、端面板７０は、その前面側に後述するカム内筒４０の移動を案内する直進ガイド７２を備えている。
【００２３】
直進ガイド７２は、光軸ＯＡを中心とする円弧状で周方向に所定幅を有する薄い板状であって、光軸ＯＡ方向に所定の長さに形成されている。直進ガイド７２は、周方向に略等間隔（すなわち略１８０°間隔）で２カ所設けられている。直進ガイド７２は、後述する直進ガイド筒２０における直進ガイド孔８３に、摺動移動可能として嵌合している。
【００２４】
カム外筒３０は、図示しない駆動モータ等によって回転駆動され、固定筒６０に対して回転するようになっている。
カム外筒３０は、回転駆動されることによって、固定筒６０のヘリコイド溝６２によって駆動ピン３１を介して移動操作され、ヘリコイド溝６２の変位に従って光軸ＯＡ方向に移動する。一方、端面板７０は、その備える直進ガイド７２が固定等６０の直進溝６１に規制されるため、回転することなくカム外筒３０に伴って光軸ＯＡ方向に移動する。すなわち、カム外筒３０は回転しつつ直進し、端面板７０は回転することなく直進する。
【００２５】
直進ガイド筒２０は、図４に示すように、本体部２０Ａと、２群直進ガイド基部８０の２部品を組み立てて形成され、光軸ＯＡ方向に所定幅を有する概略円筒状部材である。
直進ガイド筒２０の外周には、カムピン２１が突設されている。カムピン２１は、周方向に所定間隔で３カ所設けられている。各カムピン２１は、それぞれカム外筒３０の内周面に形成されたカム溝３２に摺動移動可能に嵌合している。
【００２６】
直進ガイド筒２０の内周面には、第１直進ガイド溝２２が形成されている。
第１直進ガイド溝２２は、所定幅で所定深さに形成されている。第１直進ガイド溝２２は、周方向に所定間隔で３カ所設けられている。第１直進ガイド溝２２には、後述する第１レンズ鏡筒１０における直進突起１１が摺動移動可能に嵌合している。
【００２７】
また、直進ガイド筒２０は、図２および図６に示すように、その内周側に、２群直進ガイド８１（８１Ａ，８１Ｂ）を備えている。
２群直進ガイド８１は、周方向に等間隔で２カ所（すなわち１８０°間隔）に設けられている。一方の２群直進ガイド８１Ａは、周方向に所定幅の平板状に形成されている。他方の２群直進ガイド８１Ｂは、光軸ＯＡを中心とする円弧状であって、その幅は２群直進ガイド８１Ａより狭い。
【００２８】
２群直進ガイド８１（８１Ａ，８１Ｂ）は、直進ガイド筒２０の背面側端部の内周側に突設された支持腕部８２（８２Ａ，８２Ｂ）の内周側先端部から、光軸ＯＡと平行に前面側に向かって所定長さに延設されている。これにより、２群直進ガイド８１（８１Ａ，８１Ｂ）は、直進ガイド筒２０の内周側に配置されたカム内筒４０のさらに内周側に位置している。すなわち、カム内筒４０の背面側に位置する支持腕部８２が直進ガイド筒２０の内周側に位置するカム内筒４０の背面側を迂回して、干渉を回避した状態でカム内筒４０の内周側に２群直進ガイド８１を支持している。これにより、２群直進ガイド８１は、カム内筒４０と径方向において重合して位置している。
２群直進ガイド８１（８１Ａ，８１Ｂ）は、後述する第２鏡筒５０における直進ガイドスリット５４に、摺動移動可能に嵌合している。
【００２９】
また、支持腕部８２（８２Ａ，８２Ｂ）には、直進ガイド孔８３が形成されている。直進ガイド孔８３は、カム外筒３０に装着された端面板７０における直進ガイド７２と対応する形状で、支持腕部８２を光軸ＯＡ方向前後に貫通して形成されている。直進ガイド孔８３には、前述したように、直進ガイド７２が摺動移動可能に嵌合している。
【００３０】
直進ガイド筒２０は、さらに、その背面側端部の内周側に係合内縁部８４を備えている。
係合内縁部８４は、直進ガイド筒２０の背面側の端面に沿って、略矩形の断面形状で内周側に突出形成されている。係合内縁部８４は、２群直進ガイド８１（８２Ａ，８２Ｂ）の形成域を除く領域に形成されている。係合内縁部８４は、後述するカム内筒４０に形成された係合溝４４に、摺動移動可能に嵌合している。
【００３１】
上記のように構成された直進ガイド筒２０は、カム外筒３０の回転（および回転に伴う直進）に伴って、そのカム溝３２によってカムピン２１を介して移動操作され、端面板７０の直進ガイド７２に沿って直進移動する。
【００３２】
第１鏡筒１０は、直進ガイド筒２０の内周に嵌合する円筒状に形成されている。
第１鏡筒１０の前面側には、第１レンズ群Ｌ１が装着されている。
第１鏡筒１０の外周には、直進突起１１が突設されている。直進ガイド突起１１は、直進ガイド筒２０における第１直進ガイド溝２２と対応して、周方向に３カ所設けられている。前述したように、直進突起１１は、直進ガイド筒２０の第１直進ガイド溝２２に摺動移動可能に嵌合している。
また、第１鏡筒１０の内周には、駆動カムピン１２が突設されている。駆動カムピン１２は、後述するカム内筒４０の外周面に形成された外周カム溝４１に摺動移動可能に嵌合している。
【００３３】
これにより、第１鏡筒１０は、直進ガイド筒２０の第１直進ガイド溝２２に沿って光軸ＯＡ方向に移動可能に設けられている。第１鏡筒１０の移動操作は、後述するカム内筒４０の回転に伴ってその外周カム溝４１によって駆動カムピン１２を介して行われるようになっている。
【００３４】
カム内筒４０は、第１鏡筒１０の内周に嵌合する外径の円筒状に形成されている。また、その内径は、第２鏡筒５０の外周に嵌合するように設定されている。
カム内筒４０は、外周面に第１鏡筒１０を駆動する外周カム溝４１が形成され、内周面に第２鏡筒５０を駆動する内周カム溝４２が形成されている。すなわち、カム内筒４０は、その内外周面にカム溝（外周カム溝４１および内周カム溝４２）が形成されている。
【００３５】
外周カム溝４１は、周方向において光軸ＯＡ方向の位置が所定の関係で変位するように形成されている。外周カム溝４１には、前述したように、第１鏡筒１０の内周に突設された駆動カムピン１２が摺動移動可能に嵌合している。
内周カム溝４２は、周方向において光軸ＯＡ方向の位置が所定の関係で変位するように形成されている。内周カム溝４２には、後述する第２鏡筒５０の外周に突設されたカムピン５３が摺動移動可能に嵌合している。
また、カム内筒４０の背面側の端部近傍に、係合溝４４が光軸ＯＡと直交する周方向に形成されている。係合溝４４には、直進ガイド筒２０における係合内縁部８４が、周方向には移動可能（回転可能）且つ光軸ＯＡ方向には移動不能に嵌合している。
【００３６】
さらに、カム内筒４０の背面側の端部の外周側に、連動ピン４３が突設されている。
連動ピン４３は、カム内筒４０の周方向に等間隔で２本（すなわち光軸ＯＡに対して対称となる位置にそれぞれ）設けられている。連動ピン４３は、その軸方向をカム内筒４０の径方向に沿って（光軸ＯＡから放射状に）設けられている。連動ピン４３は、ステンレス合金鋼等によって所定径の軸状に形成され、カム内筒４０に植設（またはインサート成形）されている。なお、連動ピン４３はカム内筒４０と同素材で一体成形しても良い。
連動ピン４３は、直進ガイド筒２０の背面側に位置し、前述したようにカム外筒３０の直進連動溝３３に摺動移動可能に嵌合している。
【００３７】
上記構成のカム内筒４０は、カム外筒３０の回転に連動ピン４３を介して連動回転する。また、係合溝４４には、カム外筒３０の回転によって直進移動する直進ガイド筒２０における係合内縁部８４が嵌合しているため、カム内筒４０は、直進ガイド筒２０に伴って直進移動する。
すなわち、カム内筒４０は、カム外筒３０の回転に伴って回転し、カム外筒３０の回転による直進ガイド筒２０の直進に伴って直進移動する。
【００３８】
カム外筒３０に対するカム内筒４０の直進方向の相対移動は、連動ピン４３が直進連動溝３３に沿って移動することで許容される。
カム内筒４０は、その回転によって、外周側に位置する前述した第１鏡筒１０（第１レンズ群Ｌ１）と、内周側に位置する後述する第２鏡筒５０（第２レンズ群Ｌ２）の両者を、移動操作する。
【００３９】
上記のような構成では、直進ガイド筒２０とカム内筒４０とは、相対回転はするが、光軸方向ＯＡにおける位置は変わらない。従って、カム内筒４０が備える連動ピン４３は、直進ガイド筒２０に対して回転はするが、直進ガイド筒２０の背面側の端面に対する光軸ＯＡ方向における相対位置は変化しない。
【００４０】
直進ガイド筒２０における背面側の端面８０Ａは、光軸ＯＡと直交する平面状に形成されている。そして端面８０Ａと、その端面８０Ａと対面する、連動ピン４３の周面４３Ａとの間に円形板バネ９０が設けられている。
円形板バネ９０は、少なくとも当該レンズ鏡筒３のズーミング範囲における直進ガイド筒２０に対する連動ピン４３の回動範囲において、両者の間隔を広げる方向に付勢するように構成されている。この円形板バネ９０については、後に詳述する。
【００４１】
第２鏡筒５０は、カム内筒４０の内周に嵌合する略円筒状の外周部５１と、第２レンズ群Ｌ２を支持する内周部５２とを備えている。
内周部５２には、第２レンズ群Ｌ２が装着されている。
外周部５１の外周には、カムピン５３が突設されている。カムピン５３は、カム内筒４０における内周カム溝４２と対応して周方向に所定間隔で複数設けられている。前述したように、カムピン５３は、カム内筒４０における内周カム溝４２に摺動移動可能に嵌合している。
【００４２】
また、外周部５１は、直進ガイドスリット５４（５４Ａ，５４Ｂ）を備えている。直進ガイドスリット５４（５４Ａ，５４Ｂ）は、それぞれ直進ガイド筒２０における２群直進ガイド８１（８２Ａ，８２Ｂ）と対応する位置に設定されている。
直進ガイドスリット５４は、２群直進ガイド８１と対応する幅で、外周部５１を光軸ＯＡ方向に貫通して形成されている。直進ガイドスリット５４には、前述したように、２群直進ガイド８１が光軸ＯＡ方向に摺動移動可能に嵌合している。
これにより、第２鏡筒５０は、直進ガイド筒２０における２群直進ガイド８１に規定されて光軸ＯＡ方向に移動可能に設けられている。
【００４３】
第２鏡筒５０は、カム内筒４０の回転によるカム内筒４０における内周カム溝４２の光軸ＯＡ方向における変位に従ってカムピン５３を介して移動操作され、群直進ガイド８１に沿って直進駆動される。前述したように、カム内筒４０はカム外筒３０の回転に伴って回転する。従って、第２鏡筒５０は、カム外筒３０の回転によって直進駆動される。
【００４４】
上記のように構成されたレンズ鏡筒３は、図示しない駆動モータによるカム外筒３０の回転駆動によって、第１レンズ群Ｌ１（第１鏡筒１０）および第２レンズ群Ｌ２（第２鏡筒５０）が光軸方向に移動操作される。これに伴って、レンズ鏡筒３は、伸縮する。すなわち、レンズ鏡筒３は、図５（ａ）に示す沈胴状態と図５（ｃ）に示すテレ端との間で、途中図５（ｂ）に示す撮影待機状態（ワイド端）を挟んで伸縮する。
【００４５】
図５（ａ）に示す沈胴状態は、固定筒６０の内部に、カム外筒３０、直進ガイド筒２０、第１鏡筒１０、カム内筒４０および第２鏡筒５０が、略重合した状態で格納されている。この沈胴状態は、カメラ１の電源が不投入の非撮影時における状態である。
【００４６】
沈胴状態から、カメラ１の電源が投入（ＯＮ）されると、カム外筒３０が所定角度回転駆動されて、図１および図５（ｂ）に示す撮影待機状態（ワイド端）となる。
すなわち、カム外筒３０が回転駆動されると、カム外筒３０は回転しつつ直進し、固定筒６０から所定位置まで突出する。このカム外筒３０の回転および直進に伴って、カム内筒４０も回転しつつ直進する。このカム内筒４０の直進により、直進ガイド筒２０が直進する。また、カム内筒４０の回転によって、第１鏡筒１０（第１レンズ群Ｌ１）と第２鏡筒５０（第２レンズ群Ｌ２）とが所定の関係で直進操作される。これにより、第１レンズ群Ｌと第２レンズ群Ｌ２とが、当該レンズ鏡筒３におけるワイド端における焦点距離の位置となる。
【００４７】
レンズ鏡筒３は、撮影時においてはこのワイド端である撮影待機状態を基準位置として、カメラ１の操作に応じて望遠側にズーミングする。望遠側へのズーミングは、カム外筒３０が、固定筒６０から突出した位置で、前述した沈胴状態から撮影待機状態への駆動と連続する同方向にさらに所定角度回転することによって行われる。
【００４８】
望遠側へのズーミングは、カム外筒３０の回転駆動によってカム内筒４０が回転しつつ直進し、これに伴って直進ガイド筒２０が直進する。また、カム内筒４０の回転によって、第１鏡筒１０（第１レンズ群Ｌ１）と第２鏡筒５０（第２レンズ群Ｌ２）とが所定の関係で直進操作される。
図４および図５（ｃ）に示すテレ端では、第１レンズ群Ｌと第２レンズ群Ｌ２とが、当該レンズ鏡筒３における最長の焦点距離の位置となる。これが、レンズ鏡筒３の最も伸長した状態である。
【００４９】
つぎに、直進ガイド筒２０と、カム内筒４０における連動ピン４３の間に介設された円形板バネ９０の構成および作用について詳細に説明する。
図６に示すように、円形板バネ９０は、直進ガイド筒２０の背面側の端面と対応する円環状に、バネ性を有する金属（たとえばステンレス合金鋼等）の薄板によって形成されている。なお、円形板バネ９０を形成する素材は、金属に限らず合成樹脂等であっても良い。
【００５０】
円形板バネ９０は、カム内筒４０の連動ピン４３と対応するように、非当接部９１と当接部９２との組を備えている。前述したように、連動ピン４３は、光軸ＯＡに対して対称に２本設けられており、従って、非当接部９１と当接部９２との組は、光軸ＯＡに対して点対称に形成されている。
【００５１】
非当接部９１は、直進ガイド筒２０の背面側の端面と接触して、当該直進ガイド筒２０に装着される部位である。一方、当接部９２は、非当接部９１から中心軸方向（Ｚ軸方向）所定量変位して（立ち上がって）おり、付勢作用を行う部位である。
非当接部９１における、当接部９２との境界部位は、緩い所定角度の傾斜連続部９３となっている。すなわち、非当接部９１から当接部９２へは、傾斜連続部９３を介してなだらかに連続するようになっている。
【００５２】
円形板バネ９０の非当接部９１の内周側には、直進ガイド筒２０への装着部９４（９４Ａ，９４Ｂ）が、直進ガイド筒２０における２群直進ガイド８１（８１Ａ，８１Ｂ）と対応する位置に、それぞれ設けられている。
装着部９４は、直進ガイド筒２０の支持腕部８２（８２Ａ，８２Ｂ）を挟むように配設された、一対の装着突起９４ａを備えている。装着突起９４ａは、円形板バネ９０の内周側に中心に向けて所定高さに突設されている。
【００５３】
そして、円形板バネ９０は、図７に示すように、直進ガイド筒２０の各支持腕部８２に、各装着部９４（９４Ａ，９４Ｂ）がそれぞれに嵌って、非当接部９１がその端面に接触した状態で直進ガイド筒２０に装着される。この装着された状態において、当接部９２は直進ガイド筒２０の端面より背面側（Ｚ軸マイナス側）に所定量突出する。そして、当接部９２は、直進ガイド筒２０の端面側に押圧されると弾性変形して弾性復帰力を生ずる。
【００５４】
自由状態における、当接部９２の非当接部９１からの突出量（すなわち、直進ガイド筒２０の端面から背面側への突出量）は、直進ガイド筒２０と、カム内筒４０における連動ピン４３との間隔より大きく設定されている。これにより、連動ピン４３が円形板バネ９０の当接部９２に位置すると、連動ピン４３は当接部９２と当接しこれを弾性変形させる（図９中に破線で示す）。その結果、円形板バネ９０（当接部９２）の弾性復帰力が、直進ガイド筒２０と連動ピン４３との間隔を広げる方向に作用する。
一方、連動ピン４３が円形板バネ９０の非当接部９１に位置すると、連動ピン４３は円形板バネ９０と当接せず、何らの付勢力も生じさせない。
【００５５】
前述したように、レンズ鏡筒３は、カム外筒３０の回転によってカム内筒４０を回転駆動し、沈胴状態から撮影待機状態（ワイド端）へ、さらにテレ端へと第１レンズ群Ｌ１および第２レンズ群Ｌ２を駆動する。その際、直進ガイド筒２０とカム内筒４０とは、光軸方向ＯＡにおける位置は変わらず相対回転する。すなわち、連動ピン４３は、カム内筒４０の回転に伴って、直進ガイド筒２０との一定の間隔で回動する。
このため、カム内筒４０の回転によって、連動ピン４３が円形板バネ９０の当接部９２に位置している間（回転範囲で）、円形板バネ９０によってカム内筒４０（連動ピン４３）が、直進ガイド筒２０に対して背面側に向けて（Ｚ軸マイナス方向に）押圧付勢される。
【００５６】
円形板バネ９０による押圧付勢力は、直進ガイド筒２０における係合内縁部８４に対して、カム内筒４０における係合溝４４を背面側に向けて（Ｚ軸マイナス方向に）押圧するように作用する。これにより、係合内縁部８４と係合溝４４との嵌合隙間は、一方側（背面側）に偏在することとなり、直進ガイド筒２０に対するカム内筒４０のガタ付きを防ぐことができる。その結果、カム内筒４０と直進ガイド筒２０とがガタ付くことに起因する、ピント位置ズレや光学性能の劣化を抑制できる。
【００５７】
ここで、円形板バネ９０における当接部９２は、図７〜図９に示すように、カム内筒４０が備える連動ピン４３が、撮影待機状態（ワイド端）とテレ端との間で移動する範囲（ズーム移動範囲）に設定されている。
すなわち、沈胴状態（沈胴位置）では連動ピン４３は円形板バネ９０における非当接部９１と対応しており、カム内筒４０が沈胴状態から撮影待機状態へ回転する際には（スタンバイ移動範囲では）、連動ピン４３は撮影待機状態（撮影待機位置）となる所定角度手前において当接部９２と対応する（傾斜連続部９３を介して当接部９２に乗り上げる）。そして、連動ピン４３は、ズーム移動範囲全域において当接部９２と対応し続けるように設定されている。
【００５８】
たとえば、沈胴状態（沈胴位置）を０°として、撮影待機位置までのスタンバイ移動範囲におけるカム内筒４０の回転角度を、図８中反時計回りに４０°、撮影待機位置からテレ端までのズーム移動範囲におけるカム内筒４０の回転角度をさらに６０°（沈胴位置からテレ端までの回転角度１００°）とした場合、当接部９２は、３５°から１０５°までの７０°の範囲に設定される。
【００５９】
上記のような構成により、円形板バネ９０による付勢は、沈胴状態（沈胴位置）から撮影待機状態（撮影待機位置）の所定量手前で開始し、ズーム移動範囲全域において行われる。
連動ピン４３が非当接部９１から当接部９２に移動することによる円形板バネ９０による付勢の開始は、傾斜連続部９３を介して円滑に行われ、引っかかりやショックを生ずることはない。
【００６０】
これにより、ズーム移動範囲においては、円形板バネ９０による押圧付勢力で直進ガイド筒２０とカム内筒４０とのガタ付きを防ぐことができる。一方、不撮影時であるスタンバイ移動範囲においては、円形板バネ９０は直進ガイド筒２０にカム内筒４０を押圧せず、その結果、摺動抵抗が少なく軽快で迅速な相対回転動作が可能となる。この場合、係合内縁部８４と係合溝４４との嵌合隙間による直進ガイド筒２０に対するカム内筒４０のガタ付きは生じ得るが、撮影状態でないために問題はない。
【００６１】
すなわち、沈胴状態から撮影待機状態へのスタンバイ移動範囲は少ない摺動抵抗で迅速に駆動し、撮影を行うズーム移動範囲においては直進ガイド筒２０に対するカム内筒４０のガタ付きを抑えてピント位置ズレ等を防ぎ、高い光学性能を得ることができる。
【００６２】
以上、本実施形態によると、以下の効果を有する。
（１）レンズ鏡筒３は、カム外筒３０によって直進移動操作される直進ガイド筒２０の背面と、カム内筒４０をカム外筒３０と連動回転させる連動ピン４３との間に、円形板バネ９０が介設されている。円形板バネ９０は、カム内筒４０を直進ガイド筒２０に対して背面側に向けて押圧付勢している。これにより、直進ガイド筒２０の係合内縁部８４とカム内筒４０の係合溝４４との嵌合隙間を背面側に偏在させて、カム内筒４０と直進ガイド筒２０とのガタ付きを防ぐことができる。その結果、カム内筒４０と直進ガイド筒２０とのガタ付きに起因するピント位置ズレや光学性能の劣化を抑制でき、第１レンズ群Ｌ１と第２レンズ群Ｌ２の位置精度を高めることができ、高い光学性能が得られる。また、簡単な構造でガタ付きが防止できるので、設計の自由度が高く、コストを低く抑えることができる。
【００６３】
（２）円形板バネ９０は、連動ピン４３と干渉しない非当接部９１と、連動ピン４３によって弾性変形されて付勢力を生ずる当接部９２と、を備えている。連動ピン４３は、スタンバイ移動範囲では非当接部９１と対応し、ズーム移動範囲では当接部９２と対応する。これにより、レンズ鏡筒３は、ズーム移動範囲においては、直進ガイド筒２０に対するカム内筒４０のガタ付きを防いで光学性能の劣化を抑制することができる。一方、不撮影時であるスタンバイ移動範囲においては摺動抵抗が少なくカメラの電源投入時に鏡筒を撮影待機位置へと駆動することができる。
【００６４】
（３）円形板バネ９０の非当接部９１における当接部９２との境界部位は、緩い所定角度の傾斜連続部９３となっている。これにより、連動ピン４３の、非当接部９１から当接部９２への移動は傾斜連続部９３を介して円滑に行われ、引っかかりやショックを生ずることはない。
【００６５】
（４）円形板バネ９０の非当接部９１に、直進ガイド筒２０への装着部９４（９４Ａ，９４Ｂ）が形成されている。このため、当接部９２のバネ力に悪影響を与えることなく、直進ガイド筒２０への円形板バネ９０の装着が可能となる。
【００６６】
（変形形態）
以上、説明した実施形態に限定されることなく、以下に示すような種々の変形や変更が可能であり、それらも本発明の範囲内である。
（１）本実施形態では、直進ガイド筒２０と連動ピン４３との間に、カム内筒４０を直進ガイド筒２０に対して背面側に押圧付勢する円形板バネ９０が介設されている。しかし、カム内筒４０を直進ガイド筒２０に対して付勢する付勢手段の配設位置および付勢方向は、これに限定されるものではない。たとえば、連動ピン４３の背面側設けた付勢手段によって、カム内筒４０を直進ガイド筒２０に対して前面側に向かって（Ｚ軸プラス方向に）付勢するように構成しても良い。
【００６７】
（２）また、本実施形態における円形板バネ９０は円環状であるが、付勢手段は必ずしも円環状である必要はなく、周方向に分断された形状であっても良い。
（３）本実施形態では、カム内筒４０をカム外筒３０と連動回転させる連動ピン４３は、周方向に２本備える構成である。しかし、連動ピン４３の数はこれに限らず、たとえば３本としても良く、さらに、カム内筒４０をカム外筒３０と連動させる部材は、連動可能であれば形状はピン状でなくても良い。
【００６８】
（４）本実施形態では、カム内筒４０に連動ピン４３を設け、直進ガイド筒２０に円形板バネ９０が固定されている構成について説明したが、本発明はこれに限定されず、直進ガイド筒２０にピンが形成され、かつカム内筒４０に円形板バネ９０を固定する面が設けられる構成であってもよい。
【００６９】
なお、実施形態及び変形形態は、適宜組み合わせて用いることもできるが、詳細な説明は省略する。また、本発明は以上説明した実施形態によって限定されることはない。
【符号の説明】
【００７０】
１：カメラ、３：レンズ鏡筒、２０：直進ガイド筒、２３：係合突部、４０：カム内筒、４３：連動ピン、４４：係合溝、９０：円形板バネ、９１：非当接部、９２：当接部、９３：傾斜連続部、Ｌ１：第１レンズ群、Ｌ２：第２レンズ群、ＯＡ：光軸
【図１】
2011022321.tif 000003
【図２】
2011022321.tif 000004
【図３】
2011022321.tif 000005
【図４】
2011022321.tif 000006
【図５】
2011022321.tif 000007
【図６】
2011022321.tif 000008
【図７】
2011022321.tif 000009
【図８】
2011022321.tif 000010
【図９】
2011022321.tif 000011